(57)【要約】【課題】プリント注文を受けてそのプリント注文についてのプリント処理を完了した後に、そのプリント受注に伴って取得した画像データに対して何らかの処理作業を実行するときに、処理作業の対象となる画像データを的確且つ迅速に特定できるようにする。【解決手段】入力された画像データを補正処理する画像処理装置５と、その画像処理装置５にて補正処理された画像データに基づいてプリント処理する写真プリント装置ＥＰと、前記画像処理装置５にて補正処理された画像データを記憶保存する画像データ保存装置ＩＳとが備えられた写真プリントシステムにおいて、プリント処理される画像データにオーダー単位で固有の識別符号を設定するためのデータ管理装置ＤＭが設けられ、前記識別符号と対応付けた状態で前記画像データ保存装置ＩＳに画像データを記憶保存するように構成されている。【選択図】図２
2005303521.tif 000002
【特許請求の範囲】
【請求項１】
入力された画像データを補正処理する画像処理装置と、その画像処理装置にて補正処理された画像データに基づいてプリント処理する写真プリント装置と、前記画像処理装置にて補正処理された画像データを記憶保存する画像データ保存装置とが備えられた写真プリントシステムであって、
プリント処理される画像データにオーダー単位で固有の識別符号を設定するためのデータ管理装置が設けられ、
前記識別符号と対応付けた状態で前記画像データ保存装置に画像データを記憶保存するように構成されている写真プリントシステム。
【請求項２】
前記識別符号によって特定される状態で前記画像データ保存装置から読み出された画像データを記録媒体へ書き込むデータ書込み装置が設けられている請求項１記載の写真プリントシステム。
【請求項３】
前記データ書込み装置は、前記画像データと、その画像データをコンピュータ上で閲覧するための画像閲覧用プログラムとを書き込むように構成されている請求項２記載の写真プリントシステム。
【請求項４】
前記画像閲覧用プログラムと、その画像閲覧用プログラムが前記画像データを読み込むために必要とする付帯情報とが前記画像データ保存装置に保存されている請求項３記載の写真プリントシステム。
【請求項５】
前記写真プリント装置は、前記識別符号を写真プリントに印字出力するように構成されている請求項１〜４のいずれか１項に記載の写真プリントシステム。
【発明の詳細な説明】
【技術分野】
【０００１】
本発明は、入力された画像データを補正処理する画像処理装置と、その画像処理装置にて補正処理された画像データに基づいてプリント処理する写真プリント装置と、前記画像処理装置にて補正処理された画像データを記憶保存する画像データ保存装置とが備えられた写真プリントシステムに関する。
【背景技術】
【０００２】
かかる写真プリントシステムは、例えばフィルムスキャナによる写真フィルムの読取り画像やデジタルカメラによる撮影画像等の画像データが入力されて、入力された画像データに基づいて写真プリントを作製するシステムである。
かかる写真プリントシステムでは、例えば下記特許文献１にも記載のように、写真プリントの焼き増し注文をする際に、顧客が、元の写真フィルムやメモリカード等を写真プリントショップへ持参する必要がないようにして、利用の便宜を図るため、写真プリントを作製した画像データを保存しておくことも行われている。
【０００３】
ちなみに、下記特許文献１に記載の技術は、写真プリント作製の基となったオリジナルの画像データを、その画像データに加えた補正処理の情報と共に保存しておく考え方であるのに対し、本発明では、オリジナルの画像データではなく、画像処理装置にて補正処理して写真プリントの作製に使用した高品質の画像データを保存しておくシステムである。
これによって、画像データ保存装置から画像データを読み出して、何らかの処理作業を行う際に、画像の補正処理を再度繰り返すことなく、最初の写真プリントに忠実に対応した高品質の画像データを取得できることになる。
【０００４】
又、画像データ保存装置から画像データを読み出す際には、処理作業の対象となる画像データを特定する必要があるが、下記特許文献１では、写真プリントを注文した顧客名や顧客番号から作業対象の画像を特定している。
【特許文献１】特開２０００−３５４１２３号公報
【発明の開示】
【発明が解決しようとする課題】
【０００５】
従って、複数のプリント注文を受けている大口の顧客については、いずれのプリント注文時の画像データを処理対象とするのかを特定するのに手間取る場合があった。
本発明は、かかる実情に鑑みてなされたものであって、その目的は、プリント注文を受けてそのプリント注文についてのプリント処理を完了した後に、そのプリント受注に伴って取得した画像データに対して何らかの処理作業を実行するときに、処理作業の対象となる画像データを的確且つ迅速に特定できるようにする点にある。
【課題を解決するための手段】
【０００６】
本出願の第１の発明は、入力された画像データを補正処理する画像処理装置と、その画像処理装置にて補正処理された画像データに基づいてプリント処理する写真プリント装置と、前記画像処理装置にて補正処理された画像データを記憶保存する画像データ保存装置とが備えられた写真プリントシステムにおいて、プリント処理される画像データにオーダー単位で固有の識別符号を設定するためのデータ管理装置が設けられ、前記識別符号と対応付けた状態で前記画像データ保存装置に画像データを記憶保存するように構成されている。
【０００７】
すなわち、後発的に何らかの処理作業が発生する場合を予定して、プリント受注に伴って取得した画像データを画像データ保存装置に記憶保存しておく場合において、保存した画像データをプリント注文の単位であるオーダーでひとまとめに管理し、各オーダーに固有の識別符号を設定しておくことで、その識別符号によって処理作業対象となる画像データを画像データ保存装置から読み出すことができる。
【０００８】
又、本出願の第２の発明は、上記第１の発明の構成に加えて、前記識別符号によって特定される状態で前記画像データ保存装置から読み出された画像データを記録媒体へ書き込むデータ書込み装置が設けられている。
すわなち、写真プリント業界では、基本サービスである写真プリントの提供サービスの他に、画像処理装置にて画像処理した高品質の画像データを例えばＣＤ−Ｒメディア等の記録媒体へ書き込んで顧客に提供するサービスも行われている。
一般には、記録媒体への画像データの書込みサービスは、プリント注文時にそのような記録媒体を作製するか否かの注文も併せて受けておき、プリント仕上がり時に写真プリントと共に画像データを書き込んだ記録媒体が顧客に渡される。
これに対して、画像データ保存装置に画像データを記憶保存しておくことで、プリント注文に応じてプリント処理が完了した後においても、顧客の要望に応じて随時に記録媒体への画像データの書込み処理作業を行うことができる。
【０００９】
又、本出願の第３の発明は、上記第２の発明の構成に加えて、前記データ書込み装置は、前記画像データと、その画像データをコンピュータ上で閲覧するための画像閲覧用プログラムとを書き込むように構成されている。
すなわち、例えばＣＤ−Ｒメディア等の記録媒体へ画像データを書き込んで顧客に提供するサービスを行う場合、単に画像データのみを記録媒体へ書き込むのではなく、記録媒体に書き込んだ画像を顧客のコンピュータ上で閲覧するための閲覧用ブログラムも併せて書き込むことがよく行われている。
従って、従来から写真プリントの仕上がり時に顧客に提供していた画像データ書込み済みの記録媒体と全く同様に書込み処理した記録媒体を、顧客の要望に応じて随時に提供することができる。
【００１０】
又、本出願の第４の発明は、上記第３の発明の構成に加えて、前記画像閲覧用プログラムと、その画像閲覧用プログラムが前記画像データを読み込むために必要とする付帯情報とが前記画像データ保存装置に保存されている。
すなわち、画像データと共に前記閲覧用プログラムを書き込んで顧客に提供する記録媒体を作製する際、その記録媒体の作製に必要となる前記閲覧用プログラム等のデータが画像データ保存装置に保存されているので、実際に記録媒体へ書込み作業を行う装置側でそのようなデータを保存しておく必要がなく、複数のデータ書込み装置を前記画像データ保存装置に接続して前記記録媒体の作製を行う場合でも、各データ書込み装置で重複したデータを保持するのを回避できる。
【００１１】
又、本出願の第５の発明は、上記第１〜第４のいずれかの発明の構成に加えて、前記写真プリント装置は、前記識別符号を写真プリントに印字出力するように構成されている。
従って、仕上がり写真プリントを受け取った顧客は、その写真プリントに印字出力されている識別符号を写真プリントショップに伝えることで、例えば写真プリントの焼き増しや前記記録媒体の作製等の何らかの処理作業を依頼するときに、簡単に処理作業対象の画像データを指定することができる。
【発明の効果】
【００１２】
上記第１の発明によれば、オーダー単位で設定された識別符号によって処理作業対象となる画像データを画像データ保存装置から読み出すことができるので、プリント注文を受けてそのプリント注文についてのプリント処理を完了した後に、そのプリント受注に伴って取得した画像データに対して何らかの処理作業を実行するときに、処理作業の対象となる画像データを的確且つ迅速に特定できるものとなった。
又、上記第２の発明によれば、画像データ保存装置に画像データを記憶保存しておくことで、プリント注文に応じてプリント処理が完了した後においても、顧客の要望に応じて随時に記録媒体への画像データの書込み処理作業を行うことができるので、顧客の要望に柔軟に対応できる写真プリントシステムを提供することができる。
更に、初回のプリント注文時と同時に記録媒体への書込み処理も併せて依頼された場合でも、写真プリントの仕上がりが良好であることを確認してから、記録媒体への書込み処理を行うこともできるので、写真プリントの仕上がり不良に伴う記録媒体への書込み処理のやり直しを回避することも可能となる。
【００１３】
又、上記第３の発明によれば、従来から写真プリントの仕上がり時に顧客に提供していた画像データ書込み済みの記録媒体と全く同様の記録媒体を、顧客の要望に応じて随時に提供することができるので、写真プリントシステムを一層便利なものとすることができる。
又、上記第４の発明によれば、複数のデータ書込み装置を前記画像データ保存装置に接続して前記記録媒体の作製を行う場合でも、各データ書込み装置で重複したデータを保持するのを回避できるので、記録媒体作製のためのシステム構成を簡略化することができる。
又、上記第５の発明によれば、仕上がり写真プリントを見るだけで処理作業対象を特定するための識別符号を確認できるので、写真プリントシステムを更に便利なものとすることができる。
【発明を実施するための最良の形態】
【００１４】
以下、本発明の写真プリントシステムの実施の形態を図面に基づいて説明する。
本実施の形態で例示する写真プリントシステムＤＰは、いわゆるデジタルミニラボシステムとして知られているものであり、図２のブロック図に示すように、現像処理済みの写真フィルム，メモリーカード，光磁気ディスクあるいはＣＤ−Ｒメディア等の記録画像から画像データを取込む画像入力装置ＩＲと、画像入力装置ＩＲにて取込んだ画像データを画像形態対象部材である印画紙２にプリント処理して写真プリントを作製する写真プリント装置ＥＰと、画像入力装置ＩＲにおいて取込んだ画像データを受け取って内蔵のハードディスク装置へ蓄積保存する画像データ保存装置ＩＳと、パーソナルコンピュータＰＣとがネットワーク接続されて構成されている。図２では、ネットワーク接続されるパーソナルコンピュータＰＣが１台のみである場合を示しているが、複数台のパーソナルコンピュータＰＣをネットワーク接続して、夫々が、後述のように画像データ保存装置ＩＳにアクセスできるようにも構成可能である。
【００１５】
〔画像入力装置ＩＲの概略構成〕
画像入力装置ＩＲには、図２に概略的に示すように、写真フィルムの駒画像を読み取るフィルムスキャナ３と、パーソナルコンピュータにて構成される制御装置４と、フィルムスキャナ３等から入力された写真プリント作製用の画像データを補正処理する画像処理装置５とが備えられている。
制御装置４には、メモリーカードリーダ，光磁気ディスクドライブ及びＣＤ−Ｒ／ＲＷドライブ等を備えた外部入出力装置４ａと、仕上がりプリント画像をシミュレートしたシミュレート画像や各種の制御用の情報を表示するモニタ４ｂと、露光条件の手動設定等や制御情報の入力操作をするための操作卓４ｃとが接続され、更に図示を省略するマウス等も備えられている。
外部入出力装置４ａは、備えられている各ドライブから画像データの取込みが可能であると共に、各ドライブに対応した記録媒体に画像データ等を記録可能である。従って、外部入出力装置４ａは、入力データを記録媒体へ書き込むデータ書込み装置ＤＲとして機能する。
【００１６】
〔画像処理装置５の概略構成〕
画像処理装置５には、図１に示すように、フィルムスキャナ３から入力された画像データを一時的に記憶保持する入力バッファメモリ２１と、入力バッファメモリ２１に記憶された画像の縮小画像を生成するサムネール生成回路２２と、入力バッファメモリ２１から読み込んだ画像データの補正処理を行う補正処理回路２３と、補正処理回路２３にて補正処理が完了した画像データを一時的に記憶保持する出力バッファメモリ２４とが備えられる他、制御装置４とデータ通信を行うための送受信インターフェース２５，２６が備えられている。
【００１７】
制御装置４側では、送受信インターフェース２５，２６の夫々と通信するために、２つの通信用拡張基板３１が制御装置４の本体基板３２に取り付けられている。
各通信用拡張基板３１上には、夫々、送受信インターフェース２５，２６の夫々とデータ通信するための送受信インターフェース４１と、送受信インターフェース４１を介して入力された画像データを記憶する画像データ受信用の受信メモリ４２とが備えられている。
【００１８】
〔写真プリント装置ＥＰの全体構成〕
図２に示すように、写真プリント装置ＥＰは、筐体内部に、画像形成装置ＥＸと、画像形成装置ＥＸにて露光形成された印画紙２を現像処理する現像処理装置ＰＰと、筐体内に配置された印画紙マガジン６から引き出された印画紙２を多数の搬送ローラ９等にて現像処理装置ＰＰへ搬送する印画紙搬送系ＰＴとが設けられている。
図示を省略するが、プリント装置ＥＰの筐体外部には、現像処理装置ＰＰにて現像処理及び乾燥処理された印画紙２をオーダー毎に分類するためのソータが備えられ、現像処理装置ＰＰの排出口から排出された印画紙２をコンベア１０にてソータへ搬送する。
更に、印画紙搬送系ＰＴの搬送経路の途中には、印画紙マガジン６から引き出された長尺の印画紙２を設定プリントサイズに切断するカッタ１１と、印画紙２を複数の搬送列に振り分けるための振り分け装置１２と、印画紙２の裏面（乳剤面でない方の面）に文字又は記号等を印字出力するためのバックプリンタ１３とが備えられている。
【００１９】
〔画像形成装置ＥＸの構成〕
画像形成装置ＥＸは、印画紙２上に露光画像を形成する画像形成ヘッド１４と、画像形成ヘッド１４を制御するプリント制御装置１５とを主要部として構成されている。
画像形成ヘッド１４は、設定プリントサイズに切断された印画紙２の搬送経路の途中箇所を画像形成位置とするように取り付けられ、その画像形成位置において印画紙搬送方向（副走査方向）と直交する方向（主走査方向）でレーザビームを走査する。
プリント制御装置１５は、画像処理装置５から専用通信ラインで入力された画像データあるいは制御装置４からネットワーク経由で入力された画像データに基づいて強度変調されたレーザビームが画像形成ヘッド１４から出射されるように、画像形成ヘッド１４を制御する。
印画紙搬送系ＰＴにて搬送駆動される印画紙２に対して上述のように強度変調されたレーザビームが走査されることで、印画紙２上に画像が露光形成され、それが現像処理装置ＰＰにて現像処理されると写真プリントとして仕上がる。
【００２０】
〔制御装置４等の概略動作〕
次に制御装置４等の動作を、制御装置４が実行する図３及び図４のフローチャート、パーソナルコンピュータＰＣが実行する図５のフローチャート、並びに、画像データ保存装置ＩＳが実行する図６及び図７のフローチャートに即して説明する。
顧客からのプリント注文を受け付けるときには、モニタ４ｂに「オーダー入力画面」が表示されており、オペレータは、この「オーダー入力画面」から、操作卓４ｃやマウス等を操作して、必要な情報を入力する。
この「オーダー入力画面」画面で入力される情報には、そのオーダーについてＣＤ−Ｒメディア等の記録媒体へ画像データを書き込むか否か、及び、そのオーダーについて画像データを画像データ保存装置ＩＳに記憶保存するか否かを設定する情報が含まれる。ここで、オーダーとはプリント注文の注文単位であり、一般には、写真フィルム１本、メモリーカード１枚を１オーダーとして取り扱う場合が多い。
【００２１】
取り扱うオーダーが写真フィルムからの写真プリントの作製である場合について説明する。
前記「オーダー入力画面」で所定の情報を入力して、オペレータがフィルムの読取り開始を指示すると、フィルムスキャナ３がセットされている写真フィルムの駒画像の読取りを開始し、その読取った駒画像の画像データは順次に画像処理装置５へ入力される。
画像処理装置５では、フィルムスキャナ３から写真フィルムの駒画像が読取り画像データが順次に入力されてくると、その入力されてくる画像データを入力バッファメモリ２１へ順次に蓄積していく。
【００２２】
画像処理装置５は入力された画像を所定の補正条件で自動的に補正処理する機能を有するが、更に、その補正処理が適正か否かをオペレータがモニタ４ｂで目視により判断して、必要であれば補正処理条件を入力操作できる機能が写真プリントシステムＤＰに備えられている。
このためサムネール生成回路２２は、オペレータがモニタ４ｂに表示された画像を目視して補正処理条件を入力するように設定されているときに、入力バッファメモリ２１から６駒単位で画像を読み出して所定の画像補正処理を施す共に、それの縮小画像を作製し、その縮小画像を送受信インターフェース２５を経て制御装置４側へ送信する。
制御装置４側では、送受信インターフェース２５から縮小画像の画像データが送られてくると、送受信インターフェース２５と接続した通信用拡張基板３１の受信メモリ４２へ順次に書き込んで行く。
【００２３】
制御装置４では、写真プリントシステムＤＰのオペレータが手動操作で画像の補正を行うための画像補正プログラムが実行されており、受信メモリ４２に前記縮小画像が書き込まれると、その縮小画像を利用してモニタ４ｂに画像補正作業用の画面表示を行う。
その画面表示上でオペレータが必要な補正の指示を完了すると、その６駒について入力された補正指示が送受信インターフェース２５を経て画像処理装置５の補正処理回路２３へ送信される。
これに伴って、補正処理回路２３は、補正指示のあった６駒の画像を入力バッファメモリ２１から読み出して、所定の補正処理条件を入力された補正指示に従って修正して色補正、シャープネス等の各種の補正処理を行って行く。
補正処理回路２３では、これら各種の補正処理をパイプライン的に処理して行く。
【００２４】
補正処理回路２３の処理と並行して、サムネール生成回路２２は後続の６駒の画像の縮小画像を生成して、制御装置４へ送信し、上記の処理が繰り返される。
補正処理回路２３へ画像データが送り出されて空きが生じた入力バッファメモリ２１の記憶エリアには、更に後続の画像データがフィルムスキャナ３から入力されるときは、その画像データが書き込まれていく。
【００２５】
補正処理回路２３にて補正処理が完了した画像データは出力バッファメモリ２４へ書き込まれ、その１オーダーの画像について補正処理が完了した時点で、画像処理装置５から制御装置４へその旨を示す信号が報知される。
制御装置４は、この信号の受信に伴って図３に示す「画像データ出力処理」の実行を開始し、前記「オーダー入力画面」において、そのオーダーについてＣＤ−Ｒメディア等の記録媒体へ画像データを書き込むように設定されておらず、且つ、そのオーダーについて画像データを画像データ保存装置ＩＳに記憶保存するようにも設定おらず、画像処理装置５にて補正処理が完了した画像データを取込む必要のないときは（ステップ＃１）、出力バッファメモリ２４に対して、そのオーダーの画像データを写真プリント装置ＥＰのプリント制御装置１５へ送出して、プリント処理させるように指示する（ステップ＃１３）。
【００２６】
一方、そのオーダーについてＣＤ−Ｒメディア等の記録媒体へ画像データを書き込むように設定されているか、あるいは、そのオーダーについて画像データを画像データ保存装置ＩＳに記憶保存するように設定されて、画像処理装置５にて補正処理が完了した画像データを取込む必要のあるときは（ステップ＃１）、画像処理装置５の出力バッファメモリ２４に対して補正処理が完了した画像データの送信を要求する（ステップ＃２）。
出力バッファメモリ２４は、この送信要求を受け取ると、各駒画像の画像データを順次に制御装置４へ送出する。
制御装置４は、出力バッファメモリ２４から１オーダー分の画像データの受取りが完了すると（ステップ＃３，＃４）、前記「オーダー入力画面」において、そのオーダーについて画像データを画像データ保存装置ＩＳに記憶保存するように設定されているときは（ステップ＃５）、画像データ保存装置ＩＳに対して、そのオーダーについて識別符号を設定するように要求する（ステップ＃６）。
【００２７】
画像データ保存装置ＩＳは、この識別符号の設定要求を受け取ると、図６に示す「画像データ登録処理」を開始する。
先ず、画像データ保存装置ＩＳは、既に記憶保存している他のオーダーの識別符号を検索し（ステップ＃４１）、既存の識別符号と重複しない番号で新規のオーダーの識別符号を設定して（ステップ＃４２）、制御装置４へ通知する（ステップ＃４３）。すなわち、画像データ保存装置ＩＳが、プリント処理される画像データにオーダー単位で固有の識別符号を設定するためのデータ管理装置ＤＭとして機能している。
【００２８】
制御装置４は、この新規に画像データ保存装置ＩＳへ記憶保存するオーダーについての識別符号を受け取ると（ステップ＃７）、出力バッファメモリ２４から受け取った補正処理後の画像データを、各駒画像の駒番号及び画像ファイル名と対応付けて、順次に画像データ保存装置ＩＳへ送出する（ステップ＃８）。
画像データ保存装置ＩＳは、受け取った画像データをそのオーダーの識別符号と対応させた状態で順次にハードディスク装置へ記憶保存して行く（ステップ＃４４，＃４５）。
より具体的には、例えば、オーダーの識別符号をフォルダ名とするフォルダに、そのオーダーの画像データを書き込む。
【００２９】
制御装置４は、画像データ保存装置ＩＳへの画像データの送出が完了すると、画像処理装置５の出力バッファメモリ２４に対して、そのオーダーの画像データを写真プリント装置ＥＰのプリント制御装置１５へ送出して、プリント処理させるように指示する（ステップ＃９）。このとき、プリント出力指示と併せて、画像データ保存装置ＩＳから受け取った、そのオーダーについての識別符号も出力バッファメモリ２４へ出力し、出力バッファメモリ２４からプリント制御装置１５への画像データの送出時に前記識別符号も併せて出力させる。
プリント制御装置１５は、前記識別符号のデータをバックプリンタ１３へ送り、対応するオーダーの画像データをプリント形成する印画紙２の裏面に、前記識別符号を印字させる。
【００３０】
制御装置４では、図３の処理において、更に、ＣＤ−Ｒメディア等の記録媒体へ補正処理後の画像データを記録するように設定されているときは（ステップ＃１０）、出力バッファメモリ２４から受け取った補正処理後の高品質な画像データを所定の様式に編成し（ステップ＃１１）、外部入出力装置４ａにおける指定された記録媒体に対応するドライブへ、編成したデータとその画像を閲覧するための画像閲覧用プログラムとを送って書き込ませる（ステップ＃１２）。この画像閲覧用プログラムは、制御装置４に予め記憶保存されている。
ステップ＃１１での画像データの編成では、適宜に画像サイズの変換を行うと共に、各画像データを画像閲覧用プログラムにて読み込めるフォルダ構成に編成する処理を行う。
【００３１】
次に、上述のようにして画像データ保存装置ＩＳに記憶保存した画像データを利用して焼き増しプリントを作製する際の処理について説明する。
画像データ保存装置ＩＳに記憶保存した画像データを作製する際は、焼き増しプリントを依頼する顧客は、初回の写真プリントの裏面に印字出力されている、そのオーダーの識別符号を写真プリントショップに提示して、処理対象のオーダーを特定する。
写真プリントシステムのオペレータは、モニタ４ｂにリプリント条件設定用の画面表示を表示させて、必要な情報を入力する。
ここでの入力項目としては、顧客から提示されたオーダーの識別符号の他に、焼き増しプリントを作製するか否かの設定、及び、ＣＤ−Ｒメディア等の記録媒体へ画像データを記録するか否かの設定を行う。
すなわち、便宜上リプリント処理としてまとめているが、焼き増しプリントを作製せず、且つ、ＣＤ−Ｒメディア等の記録媒体へ画像データを記録する設定とすることで、ＣＤ−Ｒメディア等の記録媒体への画像データの記録のみを行うこともできる。
【００３２】
制御装置４は、上記のリプリント条件の設定入力が完了すると、図４に示す「リプリント処理」を開始する。
先ず、画像データ保存装置ＩＳに対して、前記識別符号を指定した状態で、画像データの送信要求を送る（ステップ＃２１）。
画像データ保存装置ＩＳは、この送出要求を受け取ると、図７に示す処理を開始し、制御装置４から送られてきた画像データの送信要求であるときは（ステップ＃５１）、その送信要求と共に送られた来た前記識別符号に対応するオーダーの画像データをハードディスク装置から読み出して、要求元の制御装置４へ送信する（ステップ＃５２）。
【００３３】
制御装置４は、画像データ保存装置ＩＳから送られてくる画像データを受信し（ステップ＃２２）、全て完了すると（ステップ＃２３）、印画紙２への焼き増しプリントを実行するように設定されているときは（ステップ＃２４）、ネットワーク経由でプリント制御装置１５へ画像データを送ってプリント処理させる（ステップ＃２５）。
更に、ＣＤ−Ｒメディア等の記録媒体へ画像データを書き込むように設定されているときは、図３のステップ＃１１及びステップ＃１２と全く同じ処理で書き込む（ステップ＃２７，＃２８）。従って、初回の写真プリント作製時と同時に作製した場合と同様の記録媒体が出来上がる。
【００３４】
画像データ保存装置ＩＳに記憶保存されている画像データをＣＤ−Ｒメディア等の記録媒体へ書き込む操作は、制御装置４等とネットワーク接続されているパーソナルコンピュータＰＣからも行うことができる。
パーソナルコンピュータＰＣからこの操作を行うときは、パーソナルコンピュータＰＣにおいて、処理対象のオーダーの識別符号を指定した状態で、図５に概略的に示す処理を実行するプログラムを起動する。
この起動に伴って、パーソナルコンピュータＰＣは、データの送信要求を前記識別符号と共に画像データ保存装置ＩＳへ送る（ステップ＃３１）。
画像データ保存装置ＩＳは、この送信要求を受け取ると、上記の制御装置４からの送信要求の場合と同様に図７の処理を開始する。
【００３５】
但し、制御装置４からの送信要求の場合と異なり、パーソナルコンピュータＰＣからの送信要求の場合は（ステップ＃５１）、指定された識別符号のオーダーの画像データをハードディスク装置から読み出し、図３のステップ＃１１及び図４のステップ＃２７と同様にして画像データを編成し（ステップ＃５３）、その編成した画像データを前記画像閲覧用プログラムと共に、パーソナルコンピュータＰＣへ送出する（ステップ＃５４）。
この処理を行うために、画像データ保存装置ＩＳには、前記画像閲覧用プログラムが記憶保存されていると共に、前記画像閲覧用プログラムで画像データを読み込むためのフォルダ構成に関する情報が、前記画像閲覧用プログラムが画像データを読み込むために必要とする付帯情報として保存されている。
【００３６】
パーソナルコンピュータＰＣは、上記のようにして送出される画像データ及び前記画像閲覧用プログラムを全て受け取ると（ステップ＃３２，＃３３）、指定された記録媒体のドライブ（具体的には、「ＣＤ−Ｒドライブ」）に受け取ったデータを送って書き込ませる（ステップ＃３４）。従って、パーソナルコンピュータＰＣも、画像データ保存装置ＩＳから読み出された画像データを記録媒体へ書き込むデータ書込み装置ＤＲとして機能する。
このようにして作製される記録媒体は、初回の写真プリント作製時と同時に作製した場合、及び、リプリント処理として作製した場合と同様の記録媒体として作製され、この記録媒体を受け取った顧客は、初回の写真プリント作製時と同時に作製した場合の記録媒体と区別無く画像を閲覧することができる。
【００３７】
以上のように、画像データ保存装置ＩＳに対象オーダーの画像データが保存されている限り、写真プリントを作製した後においても、顧客からの要望があれば随時に、制御装置４あるいはパーソナルコンピュータＰＣからの操作で、ＣＤ−Ｒメディア等の記録媒体への画像データの書込みを共通の体裁で行うことができる。
従って、初回の写真プリントの作製注文と同時に、記録媒体への書込みも併せて依頼されたときでも、前記「オーダー入力画面」では、記録媒体への書込み処理を行わないように設定しておき、作製した写真プリントが良好な仕上がりとなっているのを確認してから、前記「リプリント処理」によって、記録媒体への画像データ等の書込み作業を行うこともできる。
写真プリントの仕上がりが良好でないときは、その不良の駒画像について再度写真プリントの作製を行うことになるが、上述のように運用することで、記録媒体への書き直しを回避できる。
特に、記録媒体がＣＤ−Ｒメディアのように書換え不能型の記録媒体であるときには、一部の駒画像についての写真プリントが不良であっても、記録媒体全体の書き直しが必要となってしまうので、上述のように運用することが特に好適である。
【００３８】
〔別実施形態〕
以下、本発明の別実施形態を列記する。
（１）上記実施の形態では、オーダー毎の識別符号の設定を画像データ保存装置ＩＳに行わせて、画像データ保存装置ＩＳに、オーダー単位で固有の識別符号を設定するためのデータ管理装置ＤＭとしての機能を備えさせているが、画像データ保存装置ＩＳに保存されている画像データのオーダーの情報を制御装置４にて管理しておき、制御装置４が前記識別符号の設定を行うようにしても良い。
【００３９】
（２）上記実施の形態では、パーソナルコンピュータＰＣからのデータ送信要求に対して、画像データ保存装置ＩＳは、画像データを前記画像閲覧用プログラムにて読み込めるフォルダ構成に編成して、前記画像閲覧用プログラムと共にパーソナルコンピュータＰＣへ送信することで、それを受け取ったパーソナルコンピュータＰＣ側では、単にＣＤ−Ｒメディア等の記録媒体へ書き込むだけで、制御装置４によって作製したものと同等の記録媒体を作製できるようにしているが、パーソナルコンピュータＰＣ側のアプリケーションプログラムに前記画像データの編成機能を備えさせると共に、前記画像閲覧用プログラムを記憶保持させておくようにして、画像データ保存装置ＩＳからは単に識別符号で指定されたオーダーの画像データだけを送信するように構成しても良い。
【００４０】
（３）上記実施の形態では、画像データ保存装置ＩＳが制御装置４あるいはパーソナルコンピュータＰＣへ画像データを送信する際、オーダー単位でまとめて画像データを送信する場合を例示しているが、制御装置４あるいはパーソナルコンピュータＰＣから前記識別符号にてオーダーを特定すると共に、更に、そのオーダーにおける駒番号を指定することで、１つのオーダー内から駒画像を選択して取り出せるように構成しても良い。
（４）上記実施の形態では、写真プリント装置ＥＰのプリント形式として、レーザビームを印画紙２上で走査して画像を露光形成するレーザビーム露光式の写真プリント装置ＥＰを例示しているが、例えばＰＬＺＴ光シャッタアレイ方式等の他の露光形式で構成しても良いし、更には、インクジェットプリント形式等の露光によらないプリント形式で構成しても良い。
【００４１】
（５）上記実施の形態では、制御装置４において補正処理後の画像データを記録した記録媒体を作製するときは、制御装置４に、記録媒体へ画像データを書き込むための画像データの編成機能を備えさせると共に、前記画像閲覧用プログラムも制御装置４に保持させて、画像データ保存装置ＩＳからは画像データを受け取るだけで、制御装置４自体によって記録媒体に書き込むデータ群を生成しているが、上記実施の形態におけるパーソナルコンピュータＰＣと同様に、制御装置４も、単に画像データ保存装置ＩＳから受け取ったデータ群を記録媒体に書き込むだけの処理を行うように構成しても良い。
（６）上記実施の形態では、パーソナルコンピュータＰＣに、図５に示す処理を一連に実行するプログラムを組み込む場合を例示して説明しているが、例えば汎用のＦＴＰクライアントプログラムと汎用の記録媒体書込みプログラムとをパーソナルコンピュータＰＣへ組み込む等して、汎用のプログラムを備えるだけで上記実施の形態と同様の機能を備えるように構成しても良い。
【００４２】
（７）上記実施の形態では、画像処理装置５は、フィルムスキャナ３から入力される写真フィルムの駒画像の読取り画像データを補正処理の対象とする場合を例示しているが、外部入出力装置４ａから入力される画像データに対しても補正処理を施して写真プリント装置ＥＰにてプリント処理させるように構成しても良いし、更には、ネットワーク接続されるパーソナルコンピュータＰＣから入力された画像データを補正処理して写真プリント装置ＥＰにてプリント処理させるように構成しても良い。
【図面の簡単な説明】
【００４３】
【図１】本発明の実施の形態にかかる要部ブロック構成図
【図２】本発明の実施の形態にかかる写真プリントシステムのブロック構成図
【図３】本発明の実施の形態にかかるフローチャート
【図４】本発明の実施の形態にかかるフローチャート
【図５】本発明の実施の形態にかかるフローチャート
【図６】本発明の実施の形態にかかるフローチャート
【図７】本発明の実施の形態にかかるフローチャート
【符号の説明】
【００４４】
５    画像処理装置
ＤＭ  データ管理装置
ＤＲ  データ書込み装置
ＥＰ  写真プリント装置
ＩＳ  画像データ保存装置
【図１】
2005303521.tif 000003
【図２】
2005303521.tif 000004
【図３】
2005303521.tif 000005
【図４】
2005303521.tif 000006
【図５】
2005303521.tif 000007
【図６】
2005303521.tif 000008
【図７】
2005303521.tif 000009